(57)【特許請求の範囲】
【請求項１】
吹き出す空気を上下方向に振る為に回動する電動フラップを備えた空気調和機において、
前記電動フラップを上方及び下方へそれぞれ回動させる為の上ボタン及び下ボタンを有するリモートコントロール装置を備え、前記電動フラップのスイング範囲全体を、前記上ボタンが押されると上方へ微調整し、前記下ボタンが押されると下方へ微調整するように構成してあることを特徴とする空気調和機。
【請求項２】
前記電動フラップは、風向手動設定モードに設定されているときは、前記上ボタンが押される都度、所定の角度で上方に回動し、前記下ボタンが押される都度、所定の角度で下方に回動し、前記電動フラップが、暖房運転時には下限に、冷房運転時には上限に自動設定される風向自動設定モードに設定されているときは、前記上ボタンが押されると上方へ微調整し、前記下ボタンが押されると下方へ微調整するように構成してある請求項１記載の空気調和機。
【請求項３】
前記上ボタン及び下ボタンで微調整される電動フラップのスイング範囲は、予め用意されている複数種類の電動フラップの動作パターンで異なるように構成してある請求項１又は２記載の空気調和機。
【発明の詳細な説明】
【技術分野】
【０００１】
本発明は、一般家庭及びオフィス等で使用される空気調和機、特に室内機から吹き出す風の向きを調整する電動フラップの設定操作を行うリモートコントロール装置により操作される空気調和機に関するものである。
【背景技術】
【０００２】
従来、空気調和機の風の吹き出し方向を設定する方法は、大きく分けて２つある。１つ目は、スイング・ストップ方式であり、電動フラップの方向を設定する為のボタンが、リモートコントロール装置に１つ設けられており、ある方向で電動フラップが停止している状態で、そのボタンが押されると、電動フラップが所定範囲内を上下に回動する動作を継続する。上下に回動する動作を継続する状態で、更にボタンが押されると、そのボタンが押された際の位置で、電動フラップが停止する。
【０００３】
即ち、ユーザは、電動フラップの角度を変更したい場合、一度ボタンを押してスイング状態にし、電動フラップの方向が希望する方向まで回動するのを待ち、希望する方向に向いた状態で、再度、ボタンを押す必要がある。この場合、リモートコントロール装置には、電動フラップの設定状態を表示する表示手段は設けられない。
【０００４】
２つ目は、多段階方式であり、電動フラップの方向を設定する為の１つのボタンと、電動フラップの設定状態を表示する表示画面とがリモートコントロール装置に設けられており、ボタンが押される都度、予め設定されている多段階の角度を順次変更して行く。そのボタン操作のスクロール順序の中に、図８に例示するように、スイング状態及び自動風向等のパターンを設ける場合も有る。
即ち、ユーザは、電動フラップの角度を変更したい場合、リモートコントロール装置の表示画面を確認し、現在の指定角度から数回ボタンを操作することで、希望する角度に設定することができる。その為、スイング・ストップ方式のように、希望する方向まで電動フラップが回動するのを待つ必要は無いが、ボタン操作の回数は多くなる。
【０００５】
特許文献１には、室内機の空気吹出し口に設けた上下フラップ及び左右ルーバの制御をそれぞれ単独設定可能とする指令制御用のスイッチを配設し、左右方向又は上下方向に風向を設定したいときには、好みの方向を単独設定できる空気調和機用ワイヤレスリモートコントロールユニットが記載されている。
【特許文献１】特開２００２−１３７９２号公報
【発明の開示】
【発明が解決しようとする課題】
【０００６】
上述したスイング・ストップ方式の場合、ユーザは、設定したい方向までフラップが回動するのを待つ必要があり、時間がかかると言う問題が有る。また、回動する方向も決まっており、上向きに回動している際に、希望の角度でボタンを押して停止したが、少し下向きに微調整したい場合は、上限まで回動した後に下向きに戻って来るのを待つ必要があるという問題が有る。
【０００７】
多段階方式の場合、１つのボタンで数種類の段階と自動・スイングとを順番にスクロールさせる必要がある為、ボタンの操作回数が増えるという問題が有る。
また、特許文献１に記載されたように、上方向・下方向それぞれ単独に操作できるボタンを設けるという技術では、直感的に操作することが可能であり、操作も簡潔で容易になる。しかし、自動・スポット制御などのパターンを設定する方法が無い為、例えば、上方向ボタン操作で、上限まで実際のフラップが回動した状態で、再度ボタンが押されると、自動・スポット制御と順番にスクロールして行くなどの方法となってしまい、ユーザの感覚では想像し難い操作となってしまうという問題が有る。
【０００８】
本発明は、上述したような事情に鑑みてなされたものであり、電動フラップの方向を直感的に上下に変更できると共に、この多段階設定モードから自動モード・スポット制御モード等の他のパターンへの変更設定も容易で、各モードで定められた範囲内の微調整を上方向及び下方向にそれぞれ単独に行うことができる空気調和機を提供することを目的とする。
【課題を解決するための手段】
【０００９】
本発明に係る空気調和機は、吹き出す空気を上下方向に振る為に回動する電動フラップを備えた空気調和機において、前記電動フラップを上方及び下方へそれぞれ回動させる為の上ボタン及び下ボタンを有するリモートコントロール装置を備え、前記電動フラップのスイング範囲全体を、前記上ボタンが押されると上方へ微調整し、前記下ボタンが押されると下方へ微調整するように構成してあることを特徴とする。
【００１０】
この空気調和機では、電動フラップが、吹き出す空気を上下方向に振る為に回動する。電動フラップを上方及び下方へそれぞれ回動させる為の上ボタン及び下ボタンを、リモートコントロール装置が有し、電動フラップのスイング範囲全体を、上ボタンが押されると上方へ微調整し、下ボタンが押されると下方へ微調整する。
【００１１】
本発明に係る空気調和機は、前記電動フラップは、風向手動設定モードに設定されているときは、前記上ボタンが押される都度、所定の角度で上方に回動し、前記下ボタンが押される都度、所定の角度で下方に回動し、前記電動フラップが、暖房運転時には下限に、冷房運転時には上限に自動設定される風向自動設定モードに設定されているときは、前記上ボタンが押されると上方へ微調整し、前記下ボタンが押されると下方へ微調整するように構成してあることが好ましい。
この空気調和機では、電動フラップは、風向手動設定モードに設定されているときは、上ボタンが押される都度、所定の角度で上方に回動し、下ボタンが押される都度、所定の角度で下方に回動する。電動フラップが、暖房運転時には下限に、冷房運転時には上限に自動設定される風向自動設定モードに設定されているときは、上ボタンが押されると上方へ微調整し、下ボタンが押されると下方へ微調整する。
【００１２】
本発明に係る空気調和機は、前記上ボタン及び下ボタンで微調整される電動フラップのスイング範囲は、予め用意されている複数種類の電動フラップの動作パターンで異なるように構成してあることが好ましい。
【発明の効果】
【００１５】
本発明に係る空気調和機によれば、電動フラップの方向を直感的に上下に変更できると共に、この多段階設定モードから自動モード・スポット制御モード等の他のパターンへの変更設定も容易で、各モードで定められた範囲内の微調整を上方向及び下方向にそれぞれ単独に行うことができる空気調和機を実現することができる。
【発明を実施するための最良の形態】
【００１６】
以下に、本発明をその実施の形態を示す図面に基づいて説明する。
図１は、本発明に係る空気調和機の実施の形態の構成を示すブロック図である。この空気調和機は、室内機２０及び室外機３２を備え、リモートコントロール装置１から室内機２０への赤外線通信等により操作される。
室内機２０は、リモートコントロール装置１から受信する受信部２と、リモートコントロール装置１に依らない操作の為の操作部３と、空気調和機の状態を表示ランプで表示する表示部４とを備えている。
【００１７】
室内機２０は、また、受信部２及び操作部３からの操作信号を受け入れ、表示部４へ表示信号を与え、タイマ１９及びメモリ１８を内蔵する制御部６と、制御部６に制御される室内ファン駆動回路８と、室内ファン駆動回路８により駆動され、熱交換された空気を室内で吹き出す室内ファン９とを備えている。
室内機２０は、制御部６に制御されるフラップ駆動回路３４と、フラップ駆動回路３４により駆動されるモータにより回動し、室内ファン９が吹き出す空気の方向を上下に制御する電動フラップ３３とを備えている。
室内機２０は、また、室内ファン９により室内機２０内に吸い込まれた空気と熱交換する室内熱交換器１０と、室内ファン９により室内機２０内に吸い込まれた空気の温度を検出する室内温度検出器７とを備えている。室内温度検出器７が検出した温度は、制御部６に与えられる。
【００１８】
室外機３２は、屋外の地面上に設置され、室内機２０の制御部６に制御されるコンプレッサ駆動回路１１と、コンプレッサ駆動回路１１により駆動されるコンプレッサ１２と、制御部６に制御される室外ファン駆動回路１６と、室外ファン駆動回路１６により駆動され、熱交換する為の空気を室外機３２内に吸い込み、吹き出す室外ファン１７とを備えている。また、室外ファン１７により室外機３２内に吸い込まれた空気と熱交換する室外熱交換器１４を備えている。
【００１９】
室外機３２は、また、コンプレッサ１２、室内熱交換器１０、室外熱交換器１４と共に、冷凍サイクル２１を構成する四方弁１３及びキャピラリチューブ（毛細管）１５を備えている。四方弁１３は、コンプレッサ１２が圧縮した冷媒の流れる方向を、暖房運転／冷房運転（除湿運転）に応じて切り替え、キャピラリチューブ１５は、コンプレッサ１２が圧縮した高圧（放熱）側の冷媒と、膨張した低圧（吸熱）側の冷媒との圧力差を維持する。
【００２０】
リモートコントロール装置１は、図２の外観図に示すように、冷房運転を起動する為の冷房ボタン３０、暖房運転を起動する為の暖房ボタン２７、運転を停止する為の停止ボタン２６、温度を設定する為の温度設定ボタン３１、及び設定された温度に従って冷暖房運転を行う為の自動運転ボタン２９を備えている。
リモートコントロール装置１は、また、電動フラップ３３を上方へ回動させる為の上ボタン２３と、電動フラップ３３を下方へ回動させる為の下ボタン２４と、電動フラップ３３の動作パターンを切り換える気流切換ボタン（設定手段）２２とを備えている。また、実行中の運転名称（冷房／暖房／除湿）、設定温度、電動フラップ３３の動作パターン、及び電動フラップ３３の向きを表示する表示画面２５を備えている。
【００２１】
以下に、このような構成のリモートコントロール装置１及び空気調和機の動作を、それを示す図３〜７の説明図を参照しながら説明する。
リモートコントロール装置１で、気流切換ボタン２２が操作されると、その都度、電動フラップ３３の動作パターンが、図３に示すように、風向手動設定モード→風向自動設定モード→スイングモード→特徴気流モード→風向手動設定モードの順で切り換わり設定される。設定された動作パターンの名称は、表示画面２５に表示される。
【００２２】
風向手動設定モードに設定された状態で、上ボタン２３が押されると、その都度、電動フラップ３３は、予め定められた角度で上方へ回動し、回動した電動フラップ３３の向きは、図４（ａ）〜（ｄ）に示すように、表示画面２５に順次表示される。また、下ボタン２４が押されると、その都度、電動フラップ３３は、予め定められた角度で下方へ回動し、回動した電動フラップ３３の向きは、図４（ａ）〜（ｄ）に示すように、表示画面２５に順次表示される。
但し、電動フラップ３３は、回動する上限及び下限が定められており、上限及び下限を超える上ボタン２３及び下ボタン２４の操作は無効となる。
【００２３】
風向自動設定モードでは、電動フラップ３３の向きが、暖房運転時には下限に、冷房運転時には上限にそれぞれ自動設定される。
風向自動設定モードに設定された状態で、上ボタン２３が押されると、図５（ａ）（ｂ）に示すように、表示画面２５に表示された動作パターンの名称は変わらず、その都度、電動フラップ３３は、自動設定された向きから上方へ微調整（例えば１度）される。また、下ボタン２４が押されると、図５（ｂ）（ｃ）に示すように、表示画面２５に表示された動作パターンの名称は変わらず、その都度、電動フラップ３３は、自動設定された向きから下方へ微調整（例えば１度）される。但し、自動設定された向きからの上限及び下限を予め設定しておき、その範囲内で微調整可能とする。
【００２４】
スイングモードに設定された状態で、上ボタン２３が押されると、図６（ａ）（ｂ）に示すように、表示画面２５のスイングパターンの表示は変わらず、その都度、電動フラップ３３は、スイング範囲から上方へ微調整（例えば１度）される。また、下ボタン２４が押されると、図６（ｂ）（ｃ）に示すように、表示画面２５のスイングパターンの表示は変わらず、その都度、電動フラップ３３は、スイング範囲から下方へ微調整（例えば１度）される。但し、スイング範囲からの上限及び下限を予め設定しておき、信頼性を確保できる範囲内で微調整可能とする。
【００２５】
特徴気流モードでは、電動フラップ３３の向きが、暖房運転時には下限に、冷房運転時には上限にそれぞれ自動設定され、熱交換された空気を、壁面に沿って吹出すことにより、人に直接冷気や暖気が当たることの不快感を避けながら部屋全体の冷暖房を行う。
特徴気流モードに設定された状態で、上ボタン２３が押されると、図７（ａ）（ｂ）に示すように、表示画面２５に表示された動作パターンは変わらず、その都度、電動フラップ３３は、自動設定された向きから上方へ微調整（例えば１度）される。また、下ボタン２４が押されると、図７（ｂ）（ｃ）に示すように、表示画面２５に表示された動作パターンは変わらず、その都度、電動フラップ３３は、自動設定された向きから下方へ微調整（例えば１度）される。但し、特徴気流の性能を確保する為、自動設定された向きからの上限及び下限を予め設定しておき、その範囲内で微調整可能とする。
【００２６】
尚、上述した実施の形態では、室内ファン９が吹き出す空気の方向を上下に制御する電動フラップ３３について記述してあるが、室内ファン９が吹き出す空気の方向を左右に制御する電動フラップ（ルーバ）を設けて、同様の動作を行わせることは可能である。
【図面の簡単な説明】
【００２７】
【図１】本発明に係る空気調和機の実施の形態の構成を示すブロック図である。
【図２】リモートコントロール装置の外観例を示す外観図である。
【図３】本発明に係る空気調和機の動作例を示す説明図である。
【図４】本発明に係る空気調和機の動作例を示す説明図である。
【図５】本発明に係る空気調和機の動作例を示す説明図である。
【図６】本発明に係る空気調和機の動作例を示す説明図である。
【図７】本発明に係る空気調和機の動作例を示す説明図である。
【図８】従来のリモートコントロール装置及び空気調和機の動作例を示す説明図である。
【符号の説明】
【００２８】
１  リモートコントロール装置
２  受信部
６  制御部
９  室内ファン
１０  室内熱交換器
１１  コンプレッサ駆動回路
１２  コンプレッサ
１４  室外熱交換器
１７  室外ファン
１８  メモリ
１９  タイマ
２０  室内機
２２  気流切換ボタン（設定手段）
２３  上ボタン
２４  下ボタン
２５  表示画面（表示手段）
２６  停止ボタン
３０  冷房ボタン
３２  室外機
３３  電動フラップ
３４  フラップ駆動回路
【図１】
0004480667.tif 000002
【図２】
0004480667.tif 000003
【図３】
0004480667.tif 000004
【図４】
0004480667.tif 000005
【図５】
0004480667.tif 000006
【図６】
0004480667.tif 000007
【図７】
0004480667.tif 000008
【図８】
0004480667.tif 000009